(57)【要約】【課題】利用者の行先階情報が登録されたカードを乗場操作盤に設置されたカードリーダで読み込むことにより行先階を指定するエレベータ群管理装置において、複数の行先階から目的の行先階を選択する手順を簡略化して利用者の利便性を向上させることができるエレベータ群管理装置およびエレベータ群管理方法を得る。【解決手段】利用者の行先階情報が複数登録されたカードを乗場操作盤（２）に設置されたカードリーダ（２２）で読み込むことにより行先階を指定するエレベータ群管理装置において、かご割当制御部（１１）は、利用者の複数の行先階のそれぞれに１つずつ別々のかご（３）を割当てるとともに、利用者が所持するタグをかご内に設置されたタグリーダ（３１）で検出し、利用者が乗り込んだかご以外のかごに対して割当てた当該利用者の行先階の割当てを解除する。【選択図】図１
2014237523.tif 000002
【特許請求の範囲】
【請求項１】
エレベータの乗場操作盤に設置されて前記エレベータの利用者が所持するカードに登録された利用者識別情報および行先階情報を読み取るカードリーダと、前記カードリーダが読み取った前記利用者識別情報および前記行先階情報に基づいて前記利用者に割当てるかごを決定するかご割当制御部とを備えたエレベータ群管理装置であって、
前記利用者に割当てた前記かごの情報と前記利用者識別情報および前記行先階情報とをかご割当情報として記憶するかご割当情報記憶部と、前記エレベータの前記かご内に設置されて前記かごに乗車した前記利用者が所持するタグに登録された前記カードと同じ前記利用者識別情報を読み取るタグリーダとを更に備え、
前記かご割当制御部は、前記行先階情報に複数の行先階が含まれている場合には、
前記利用者の前記複数の行先階のそれぞれに１つずつ別々のかごを割当て、
前記利用者が乗り込んだかごに相当する利用者検出かごを、前記タグリーダで検出することによって特定し、
前記かご割当情報記憶部に記憶した前記かご割当情報を基に、前記利用者検出かご以外のかごに対して割当てた前記利用者の行先階の割当てを解除する
エレベータ群管理装置。
【請求項２】
請求項１に記載のエレベータ群管理装置において、
前記乗場操作盤は、かご毎の行先階の情報を表示する表示装置を更に備え、
前記かご割当制御部は、前記かご割当情報を基に、かご毎の行先階の情報を前記乗場操作盤に出力して、前記乗場操作盤の表示装置に表示させることにより、前記かご毎の行先階を前記利用者に通知する
エレベータ群管理装置。
【請求項３】
請求項１または２に記載のエレベータ群管理装置において、
前記カードは、前記タグを内蔵している
エレベータ群管理装置。
【請求項４】
請求項１から３のいずれか１項に記載のエレベータ群管理装置において、
前記カードリーダは特定階にのみに設置され、前記特定階以外の階ではエレベータの利用者は従来どおりかご内での釦操作で行先階を指定する
エレベータ群管理装置。
【請求項５】
請求項１に記載のエレベータ群管理装置に用いられるエレベータ群管理方法であって、
前記かご割当制御部において、前記行先階情報に複数の行先階が含まれている場合には、
前記利用者の前記複数の行先階のそれぞれに１つずつ別々のかごを割当てるかご割当てステップと、
前記利用者が乗り込んだかごに相当する利用者検出かごを、前記タグリーダで検出することによって特定する利用者検出ステップと、
前記かご割当情報記憶部に記憶した前記かご割当情報を基に、前記利用者検出かご以外のかごに対して割当てた前記利用者の行先階の割当てを解除するかご割当て解除ステップと
を有するエレベータ群管理方法。
【発明の詳細な説明】
【技術分野】
【０００１】
本発明は、利用者の行先階情報が登録されたカードを、乗場操作盤に設置されたカードリーダで読み込むことにより、釦を操作することなく行先階を指定することができるようにしたエレベータ群管理装置およびエレベータ群管理方法に関するものである。
【背景技術】
【０００２】
エレベータの利用者が多いビル等では、通常、同一ビル内に複数台のエレベータが設置される。エレベータ群管理装置は、これら複数台のエレベータに対して群管理制御を行い、全体としてのエレベータの運転効率を向上させている。
【０００３】
このような、従来のエレベータ群管理装置としては、複数台のエレベータの行先階を表示する表示装置を備えることにより、乗場にいるエレベータ利用者に対して、エレベータの運行に応じた適切な案内を行えるようにしたものがある（例えば、特許文献１参照）。
【０００４】
また、従来の別のエレベータ群管理装置として、利用者の行先階情報を予め登録したカードを、乗場操作盤に設置されたカードリーダで読み込むことにより、釦を操作することなく行先階を指定できるようにしたものがある（例えば、特許文献２参照）。
【先行技術文献】
【特許文献】
【０００５】
【特許文献１】国際公開第２０１０／０３２３０５号
【特許文献２】特開２００５−３２４９１２号公報
【発明の概要】
【発明が解決しようとする課題】
【０００６】
しかしながら、従来技術には、以下のような課題がある。
特許文献２のエレベータ群管理装置では、カードに行先階が複数登録されている場合でも、複数の行先階から目的の行先階を選択できるようにしている。しかしながら、カードリーダにカードをかざす時間の長さで行先階を選択するようにしているため、行先階の選択に時間がかかってしまうという利便性の課題があった。特に、この課題は混雑時に顕著となる。
【０００７】
本発明は、上記のような課題を解決するためになされたものであり、複数の行先階から目的の行先階を選択する手順を簡略化して利用者の利便性を向上させることができるエレベータ群管理装置およびエレベータ群管理方法を得ることを目的としている。
【課題を解決するための手段】
【０００８】
本発明に係るエレベータ群管理装置は、エレベータの乗場操作盤に設置されてエレベータの利用者が所持するカードに登録された利用者識別情報および行先階情報を読み取るカードリーダと、カードリーダが読み取った利用者識別情報および行先階情報に基づいて利用者に割当てるかごを決定するかご割当制御部とを備えたエレベータ群管理装置であって、利用者に割当てたかごの情報と利用者識別情報および行先階情報とをかご割当情報として記憶するかご割当情報記憶部と、エレベータのかご内に設置されてかごに乗車した利用者が所持するタグに登録されたカードと同じ利用者識別情報を読み取るタグリーダとを更に備え、かご割当制御部は、行先階情報に複数の行先階が含まれている場合には、利用者の複数の行先階のそれぞれに１つずつ別々のかごを割当て、利用者が乗り込んだかごに相当する利用者検出かごを、タグリーダで検出することによって特定し、かご割当情報記憶部に記憶したかご割当情報を基に、利用者検出かご以外のかごに対して割当てた利用者の行先階の割当てを解除するものである。
【０００９】
また、本発明に係るエレベータ群管理方法は、本発明に係るエレベータ群管理装置に用いられるエレベータ群管理方法であって、かご割当制御部において、行先階情報に複数の行先階が含まれている場合には、利用者の複数の行先階のそれぞれに１つずつ別々のかごを割当てるかご割当てステップと、利用者が乗り込んだかごに相当する利用者検出かごを、タグリーダで検出することによって特定する利用者検出ステップと、かご割当情報記憶部に記憶したかご割当情報を基に、利用者検出かご以外のかごに対して割当てた利用者の行先階の割当てを解除するかご割当て解除ステップとを有するものである。
【発明の効果】
【００１０】
本発明によれば、利用者の利用者識別情報および行先階情報が登録されたカードを乗場操作盤に設置されたカードリーダで読み込むことにより行先階を指定するエレベータ群管理装置において、行先階情報に複数の行先階が含まれる場合には、利用者の複数の行先階のそれぞれに１つずつ別々のかごを割当てるとともに、利用者が所持するカードと同じ利用者識別情報が登録されたタグをかご内に設置されたタグリーダで検出することによって利用者が乗り込んだかごを特定し、利用者が乗り込んだかご以外のかごに対して割当てた当該利用者の行先階の割当てを解除するようにしている。この結果、複数の行先階から目的の行先階を選択する手順を簡略化して利用者の利便性を向上させるとともに、行先階情報に含まれる複数の行先階を個別のかごに割当てたことによるエレベータ群の運行効率の低下を抑制することができるエレベータ群管理装置およびエレベータ群管理方法を得ることができる。
【図面の簡単な説明】
【００１１】
【図１】本発明の実施の形態１におけるエレベータ群管理装置の構成の例示図である。
【図２】本発明の実施の形態１におけるエレベータ群管理装置に用いられるエレベータ群管理方法のフローチャートである。
【発明を実施するための形態】
【００１２】
以下、本発明におけるエレベータ群管理装置およびエレベータ群管理方法の好適な実施の形態について図面を用いて説明する。なお、各図において同一、または相当する部分については、同一符号を付して説明する。
【００１３】
実施の形態１．
図１は、本発明の実施の形態１におけるエレベータ群管理装置の構成の例示図である。図１に示すエレベータ群管理装置は、群管理部１、乗場操作盤２（１）〜（２）、かご３（１）〜（３）、およびかご制御装置４（１）〜（３）を備えて構成される。
【００１４】
また、群管理部１は、かご割当制御部１１およびかご割当情報記憶部１２を備えている。また、乗場操作盤２（１）〜（２）は、それぞれ表示装置２１（１）〜（２）およびカードリーダ２２（１）〜（２）を備えている。また、かご３（１）〜（３）は、それぞれタグリーダ３１（１）〜（３）を備えている。
【００１５】
なお、図１では、乗場操作盤２が２つの例を示しているが、乗場操作盤２の個数は２つに限定されるものではない。乗場操作盤２の個数は１以上であればよい。
【００１６】
また、同様に、図１では、かご３およびかご制御装置４が３つの例を示しているが、かご３およびかご制御装置４の個数は３つに限定されるものではない。かご３およびかご制御装置４の個数は２以上であればよい。
【００１７】
なお、乗場操作盤２（１）〜（２）は、どれも同一の構成および機能を有するため、以下の説明では、「（１）」等の、符号の括弧付番号は省略する。かご３（１）〜（３）およびかご制御装置４（１）〜（３）についても同様である。
【００１８】
また、図２は、本発明の実施の形態１におけるエレベータ群管理装置に用いられるエレベータ群管理方法のフローチャートである。具体的には、図２は、乗場の利用者がかご３に乗り込むまでの、かご割当制御部１１における一連の処理を示している。
【００１９】
以下、図１および図２を用いて、エレベータ群管理装置の構成要素の機能および処理の流れについて説明する。
【００２０】
エレベータの利用者は、エレベータを利用するためのカードを所持している。まず、図２のステップＳ１において、利用者は、乗場操作盤２に設置されたカードリーダ２２にカードを読み込ませる。すると、カードリーダ２２は、カードに予め登録された利用者識別情報および行先階情報を読み取り、群管理部１のかご割当制御部１１に出力する。
【００２１】
このように、行先階の指定手段としてカードを利用することにより、利用者は、釦を操作する必要がなくなり利便性が向上する。また、乗場操作盤２の釦が不要となるため初期設置費用を抑えることができる。更には、利用者の行先階を制限することができるため、エレベータのセキュリティが向上する。
【００２２】
次に、ステップＳ２において、かご割当制御部１１は、カードリーダ２２が読み取った利用者識別情報および行先階情報に基に、利用者に割当てるかご３を決定する。
【００２３】
ここで、本実施の形態１におけるかご割当制御部１１は、行先階情報に複数の行先階が含まれる場合には、利用者の複数の行先階のそれぞれに１つずつ別々のかご３を割当てるようにしている。
【００２４】
この結果として、エレベータの利用者は、例えば、事務所の他にも会議室または食堂等のような複数の行先階の情報が含まれている１枚のカードを持参していることで、複数の行先階へのかご３の割当てが自動的に行われるようになる、また、複数のカードを所持する必要もなくなり、利用者の利便性が向上する。
【００２５】
次に、ステップＳ３において、かご割当制御部１１は、利用者に割当てたかご３の情報と利用者識別情報および行先階情報とを、かご割当情報としてかご割当情報記憶部１２に記憶させる。
【００２６】
次に、ステップＳ４において、かご割当制御部１１は、かご割当情報を基に、かご３毎の行先階の情報を乗場操作盤２に出力する。そして、乗場操作盤２の表示装置２１に表示させることにより、かご３毎の行先階を利用者に通知する。この結果、エレベータの利用者は、自身の行先階情報に複数の行先階が含まれる場合でも、どのかご３が所望の目的階に移動するかを、乗場階の表示装置２１に表示された行先階情報に含まれるそれぞれの行先階によって確認することができる。
【００２７】
次に、ステップＳ５において、かご割当制御部１１は、かご制御装置４を制御することにより、利用者に割当てたかご３を利用者の乗場階に移動させる。そして、エレベータの利用者は、所望の目的階に移動するかご３が乗場に到着すると、そのかご３に乗り込む。
【００２８】
ここで、エレベータの利用者は、利用者が所持するカードと同じ利用者識別情報が登録され、カードよりも検知範囲が広いタグを、カードの他にも所持している。この結果、利用者が所望の目的階に移動するかご３に乗り込むと、ステップＳ６において、かご３内に設置されたタグリーダ３１は、タグに登録された利用者識別情報を読み取り、群管理部１のかご割当制御部１１に出力する。
【００２９】
このように、本実施の形態１におけるかご割当制御部１１は、利用者が乗り込んだかご３（以下、利用者検出かごと呼ぶ）をタグリーダ３１で検出することによって、利用者検出かごを特定することができる。
【００３０】
なお、利用者がカードおよびタグの両方を持ち歩かなくてもすむように、カードにタグを内蔵することも可能である。
【００３１】
次に、ステップＳ７において、かご割当制御部１１は、利用者検出かご以外のかご３に対して割当てた当該利用者の行先階の割当てを解除する。ここで、当該利用者に割当てた他のかご３の情報は、先のステップＳ３でかご割当情報記憶部１２に記憶させたものを利用することができる。
【００３２】
なお、このとき、エレベータの利用者が、利用者に割当てたかご３以外に乗り込んだ場合でも、同様に、利用者検出かご以外のかご３に対して割当てた当該利用者の行先階の割当てを解除するようにすればよい。
【００３３】
このように、エレベータの利用者が、いずれかのかご３に乗り込んだ際に、利用者が所有するタグに含まれている利用者識別情報を読み取ることで、利用者が乗り込んだかご３以外のかご３の割当てを解除することができる。この結果、行先階情報に含まれる複数の行先階を個別のかご３に割当てたことによるエレベータ群の運行効率の低下を抑制することができる。
【００３４】
以上のように、実施の形態１によれば、利用者の利用者識別情報および行先階情報が登録されたカードを乗場操作盤に設置されたカードリーダで読み込むことにより行先階を指定するエレベータ群管理装置において、行先階情報に複数の行先階が含まれる場合には、利用者の複数の行先階のそれぞれに１つずつ別々のかごを割当てるとともに、利用者が所持するカードと同じ利用者識別情報が登録されたタグをかご内に設置されたタグリーダで検出することによって利用者が乗り込んだかごを特定し、利用者が乗り込んだかご以外のかごに対して割当てた当該利用者の行先階の割当てを解除するようにしている。この結果、複数の行先階から目的の行先階を選択する手順を簡略化して利用者の利便性を向上させるとともに、行先階情報に含まれる複数の行先階を個別のかごに割当てたことによるエレベータ群の運行効率の低下を抑制することができるエレベータ群管理装置およびエレベータ群管理方法を得ることができる。
【００３５】
なお、ロビー階など乗客が多数発生すると予測される階の乗場操作盤２にのみ、カードリーダ２２を設置し、その他の階では、従来どおりかご内での釦操作で行先階を指定させるようにすることで、ロビー階での操作性の改善を図るとともに、その他の階で複数の行先階が個別のかご３に割り当てることを防止して、エレベータ群の運行効率の低下を更に抑制させることが可能である。
【００３６】
また、以上の説明では、行先階情報は予めカードに登録されるものとしたが、行先階情報はかご割当情報記憶部１２に登録させ、カードには利用者識別情報のみを登録させるようにしてもよい。
【符号の説明】
【００３７】
１  群管理部、２  乗場操作盤、３  かご、４  かご制御装置、１１  かご割当制御部、１２  かご割当情報記憶部、２１  表示装置、２２  カードリーダ、３１  タグリーダ。
【図１】
2014237523.tif 000003
【図２】
2014237523.tif 000004